【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
第１、第２及び第３の３つのチャンネルを用いて伝送される映像データを受信し、上記３つのチャンネルの内の第１のチャンネルの映像データのブランキング期間に同期信号を表すデータが配置され、第２及び／又は第３のチャンネルの映像データのブランキング期間に制御情報が配置されたものを受信するデータ受信装置であって、
パケット毎にパリティ符号を備えたデジタルオーディオデータを複数パケット分組み合わせ、それぞれのパケットから所定ビットずつビットデータを切り出してデータ単位を構成し、該データ単位毎に、予め種類数が定められている特定データの１つに変換して符号化し、その符号化されたデータを、上記第２及び／又は第３のチャンネルの映像データのブランキング期間に上記制御情報の代わりに配置された映像データを、所定の伝送路を介して、受信する受信手段と、
所定の伝送路を介して上記受信した第２及び／又は第３のチャンネルの映像データのブランキング期間に配置された、上記特定のデータの１つに変換して符号化されたデータを分離する分離手段と、
上記分離手段で分離された、上記特定のデータの１つに変換して符号化されたデータを、所定の符号化から復号化するとともに、上記特定のデータ以外のデータが検出された場合に、エラー検出データを出力する復号化手段と、
上記復号化手段で復号化されたデータを元の構造に組み立てると共に、組み立てられたパケットの所定ビット毎に、エラー検出データに基づいてエラーフラグを立てるデータ組み立て手段と
を備えたデータ受信装置。
【請求項２】
請求項１記載のデータ受信装置において、
上記伝送路を介して受信したデータには、伝送されるオーディオデータのパリティ符号が含まれ、上記データ組み立て手段でエラーフラグを立てられた位置のデータについては、上記パリティ符号を使用した演算で元のデータを復元して、エラー訂正を行うデータ受信装置。
【請求項３】
第１、第２及び第３の３つのチャンネルを用いて伝送される映像データを受信し、上記３つのチャンネルの内の第１のチャンネルの映像データのブランキング期間に同期信号を表すデータが配置され、第２及び／又は第３のチャンネルの映像データのブランキング期間に制御情報が配置されたものを受信するデータ受信方法であって、
パケット毎にパリティ符号を備えたデジタルオーディオデータを複数パケット分組み合わせ、それぞれのパケットから所定ビットずつビットデータを切り出してデータ単位を構成し、該データ単位毎に、予め種類数が定められている特定データの１つに変換して符号化し、その符号化されたデータを、上記第２及び／又は第３のチャンネルの映像データのブランキング期間に上記制御情報の代わりに配置された映像データを、所定の伝送路を介して受信し、
上記受信した第２及び／又は第３のチャンネルの映像データのブランキング期間に配置された、上記特定のデータの１つに変換して符号化されたデータを分離し、
上記分離された、上記特定のデータの１つに変換して符号化されたデータを、所定の符号化から復号化するとともに、
上記特定のデータ以外のデータが検出された場合に、エラー検出データを出力し、
上記復号化されたデータを元の構造に組み立てると共に、組み立てられたパケットの所定ビット毎に、エラー検出データに基づいてエラーフラグを立てる
データ受信方法。
【請求項４】
請求項３記載のデータ受信方法において、
上記伝送路を介して受信したデータには、伝送されるオーディオデータのパリティ符号が含まれ、上記エラーフラグを立てられた位置のデータについては、上記パリティ符号を使用した演算で元のデータを復元して、エラー訂正を行うデータ受信方法。
【請求項５】
データ送信装置からデータ受信装置に、第１、第２及び第３の３つのチャンネルを用いて映像データとデジタルオーディオデータを伝送するデータ伝送システムであって、
上記３つのチャンネルの内の第１のチャンネルの映像データのブランキング期間に同期信号を表すデータを配置し、第２及び／又は第３のチャンネルの映像データのブランキング期間に制御情報を配置して伝送するデータ伝送システムにおいて、
上記データ送信装置として、
パケット毎にパリティ符号を備えたデジタルオーディオデータを複数パケット分組み合わせ、それぞれのパケットから所定ビットずつビットデータを切り出してデータ単位を構成するデータ分割手段と、
該データ分割手段で分割されたデータ単位毎に、予め種類数が定められている特定データの１つに変換して符号化する符号化手段と、
上記符号化手段で符号化されたデータを、上記第２及び／又は第３のチャンネルの映像データのブランキング期間に上記制御情報の代わりに配置して合成し、その合成されたデータを所定の伝送路に送出させるデータ送出手段とを備え、
上記データ受信装置として、
上記３つのチャンネルの映像データを、所定の伝送路を介して、受信する受信手段と、
上記受信した上記第２及び／又は第３のチャンネルの映像データのブランキング期間に配置された、上記特定のデータの１つに変換して符号化されたデータを分離する分離手段と、
上記特定のデータの１つに変換して符号化されたデータを上記符号化から復号化するとともに、上記特定のデータ以外のデータが検出された場合に、エラー検出データを出力する復号化手段と、
上記復号化手段で復号化されたデータを元の構造に組み立てると共に、組み立てられたパケットの所定ビット毎に、エラー検出データに基づいてエラーフラグを立てるデータ組み立て手段と
を備えたデータ伝送システム。
【請求項６】
請求項５記載のデータ伝送システムにおいて、
上記データ送信装置のデータ分割手段が分割するパケット構造化されたデジタルオーディオデータには、オーディオデータのパリティ符号が含まれ、そのパリティ符号も上記伝送路を介して上記データ受信装置に伝送するデータ伝送システム。
【請求項７】
請求項６記載のデータ伝送システムにおいて、
上記データ受信装置の上記データ組み立て手段でエラーフラグを立てられた位置のデータについては、上記パリティ符号を使用した演算で元のデータを復元して、エラー訂正を行うデータ伝送システム。
【請求項８】
請求項５記載のデータ伝送システムにおいて、
上記データ単位は、１パケット当り１ビットであるデータ伝送システム。
【手続補正２】
【補正対象書類名】明細書
【補正対象項目名】００１０
【補正方法】変更
【補正の内容】
【００１０】
本発明は、第１、第２及び第３の３つのチャンネルを用いて伝送される映像データを受信し、３つのチャンネルの内の第１のチャンネルの映像データのブランキング期間に同期信号を表すデータが配置され、第２及び／又は第３のチャンネルの映像データのブランキング期間に制御情報が配置されたものを受信する場合に、パケット毎にパリティ符号を備えたデジタルオーディオデータを複数パケット分組み合わせ、それぞれのパケットから所定ビットずつビットデータを切り出してデータ単位を構成し、該データ単位毎に、予め種類数が定められている特定データの１つに変換して符号化し、その符号化されたデータを、第２及び／又は第３のチャンネルの映像データのブランキング期間に制御情報の代わりに配置された映像データを、所定の伝送路を介して受信し、受信した第２及び／又は第３のチャンネルの映像データのブランキング期間に配置された、上記特定のデータの１つに変換して符号化されたデータを分離し、分離された特定のデータの１つに変換して符号化されたデータを、所定の符号化から復号化するとともに、特定のデータ以外のデータが検出された場合に、エラー検出データを出力し、復号化されたデータを元の構造に組み立てると共に、組み立てられたパケットの所定ビット毎に、エラー検出データに基づいてエラーフラグを立てるようにしたものである。